(57)【要約】【課題】  鍵に応じて鍵のコントロール性または押鍵エネルギーの伝達効率を優先して得ることができ、それにより、鍵に応じて高い演奏性や大きな打弦力を選択的に得ることができるピアノのハンマーを提供する。【解決手段】  複数のハンマー２の各々は、支点１４に回動自在に支持されたハンマーシャンク１１と、押鍵に伴いジャック６で突き上げられるシャンクローラ１３と、ジャック６の突き上げによるハンマーシャンク１１の回動に伴い、弦Ｓを打弦するハンマーヘッド１２と、を有し、複数のハンマー２は、支点１４からハンマーヘッド１２までの長さＬＨと支点１４からシャンクローラ１３までの長さＬＲとの比であるレバー比ＲＬが第１所定値に設定された複数の第１のハンマー２Ａと、レバー比ＲＬが第１所定値と異なる第２所定値に設定された複数の第２のハンマー２Ｂと、を有する。【選択図】  図３
2010085464.tif 000002
【特許請求の範囲】
【請求項１】
鍵の押鍵に伴い、ジャックで突き上げられることにより回動し、弦を打弦するピアノのハンマーであって、
当該ハンマーは、複数の前記鍵ごとに設けられた複数のハンマーで構成され、
当該複数のハンマーの各々は、
前後方向に延びるとともに、前端部において支点に回動自在に支持されたハンマーシャンクと、
当該ハンマーシャンクの下面に設けられ、押鍵に伴い前記ジャックで突き上げられるシャンクローラと、
前記ハンマーシャンクの後端部に設けられ、前記ジャックの突き上げによる前記ハンマーシャンクの回動に伴い、前記弦を打弦するハンマーヘッドと、を有し、
前記複数のハンマーは、
前記支点から前記ハンマーヘッドまでの長さと前記支点から前記シャンクローラまでの長さとの比であるレバー比が第１所定値に設定された複数の第１のハンマーと、
前記レバー比が前記第１所定値と異なる第２所定値に設定された複数の第２のハンマーと、を有することを特徴とするピアノのハンマー。
【請求項２】
前記ピアノの音域は、第１および第２の音域を含む所定の複数の音域に区分されており、前記複数の第１のハンマーは、前記第１の音域に配置され、前記複数の第２のハンマーは、前記第２の音域に配置されていることを特徴とする請求項１に記載のピアノのハンマー。
【発明の詳細な説明】
【技術分野】
【０００１】
本発明は、鍵の押鍵に伴い弦を打弦するピアノのハンマーに関する。
【背景技術】
【０００２】
従来のこの種のピアノのハンマーとして、例えば特許文献１に開示されたものが知られている。このピアノのハンマーは、支点に回動自在に支持されたシャンクホルダと、このシャンクホルダに固定されたシャンクローラと、シャンクホルダから後方に延びるハンマーシャンクと、ハンマーシャンクの後端部に固定されたハンマーヘッドとを有している。また、離鍵状態において、ハンマーは、シャンクローラを介して、レペティションレバーに載置されている。この離鍵状態から鍵が押鍵されると、シャンクローラがジャックによって突き上げられることにより、ハンマーが、支点を中心として回動し、弦を打弦する。
【０００３】
従来のピアノでは、一般に支点からハンマーヘッドまでの長さＬＨと支点からシャンクローラまでの長さＬＲとの比（以下「レバー比」という）ＬＨ／ＬＲが、すべてのハンマーにおいて一定に設定されている。このレバー比ＬＨ／ＬＲが比較的、大きい場合には、支点からシャンクローラまでの長さＬＲが相対的に短いので、高い押鍵エネルギーの伝達効率が得られることで、大きな打弦力が得られるという利点を有する反面、押鍵力の調整加減が難しいため、鍵のコントロールがしにくいという欠点を有する。逆に、レバー比ＬＨ／ＬＲが比較的、小さい場合には、支点からシャンクローラまでの長さＬＲが相対的に長いので、鍵のコントロールがしやすくなることによって、高い演奏性が得られる反面、押鍵エネルギーの伝達効率が低くなり、大きな打弦力が得られない。
【０００４】
しかし、従来のピアノでは、すべてのハンマーにおいてレバー比が一定であるので、音域に応じて鍵のコントロール性を優先したり、押鍵エネルギーの伝達効率を優先したりしたくても、そのような要求に応えることができず、演奏性や打弦力を一律にしか得ることができない。
【０００５】
本発明は、このような課題を解決するためになされたものであり、鍵に応じて鍵のコントロール性または押鍵エネルギーの伝達効率を優先して得ることができ、それにより、鍵に応じて、高い演奏性と大きな打弦力を選択的に得ることができるピアノのハンマーを提供することを目的とする。
【０００６】
【特許文献１】特開２００１−３４３９７１号公報
【発明の開示】
【課題を解決するための手段】
【０００７】
この目的を達成するために、請求項１に係る発明は、鍵の押鍵に伴い、ジャックで突き上げられることにより回動し、弦を打弦するピアノのハンマーであって、ハンマーは、複数の鍵ごとに設けられた複数のハンマーで構成され、複数のハンマーの各々は、前後方向に延びるとともに、前端部において支点に回動自在に支持されたハンマーシャンクと、ハンマーシャンクの下面に設けられ、押鍵に伴いジャックで突き上げられるシャンクローラと、ハンマーシャンクの後端部に設けられ、ジャックの突き上げによるハンマーシャンクの回動に伴い弦を打弦するハンマーヘッドと、を有し、複数のハンマーは、支点からハンマーヘッドまでの長さと支点からシャンクローラまでの長さとの比であるレバー比が第１所定値に設定された複数の第１のハンマーと、レバー比が第１所定値と異なる第２所定値に設定された複数の第２のハンマーと、を有することを特徴とする。
【０００８】
この構成によれば、鍵ごとに設けられた複数のハンマーの各々は、支点に回動自在に支持されたハンマーシャンクと、押鍵に伴いジャックで突き上げられるシャンクローラと、弦を打弦するハンマーヘッドと、を有している。鍵が押鍵されると、シャンクローラがジャックで突き上げられることによって、ハンマーが支点を中心として回動し、弦を打弦することによって、ピアノ音が発生する。
【０００９】
本発明によれば、複数のハンマーは、レバー比が第１所定値に設定された複数の第１のハンマーと、レバー比が第１所定値と異なる第２所定値に設定された複数の第２のハンマーと、を有している。これにより、例えば、複数の第１のハンマーのレバー比がより小さく設定されている場合には、第１のハンマーに対応する鍵では、鍵のコントロールがしやすくなることによって、高い演奏性を得ることができる。一方、レバー比がより大きな複数の第２のハンマーに対応する鍵では、高い押鍵エネルギーの伝達効率が得られることによって、大きな打弦力を得ることができる。その結果、鍵に応じて、高い演奏性と大きな打弦力を選択的に得ることができるので、より高度な演奏を行うことができる。
【００１０】
請求項２に係る発明は、請求項１に記載のピアノのハンマーにおいて、ピアノの音域は、第１および第２の音域を含む所定の複数の音域に区分されており、複数の第１のハンマーは、第１の音域に配置され、複数の第２のハンマーは、第２の音域に配置されていることを特徴とする。
【００１１】
この構成によれば、複数の第１のハンマーは、第１の音域に配置され、複数の第２のハンマーは、第２の音域に配置されている。これにより、例えば、第１の音域において高い演奏性を得ることができるとともに、第２の音域において大きな打弦力を得ることができる。以上のように、上述した請求項１の利点を音域に応じて得ることができる。
【発明を実施するための最良の形態】
【００１２】
以下、図面を参照しながら、本発明の好ましい実施形態を詳細に説明する。図１および図２は、本発明の実施形態によるグランドピアノ１０（以下、単に「ピアノ」という）の鍵盤装置を、それぞれ離鍵状態および押鍵状態において示している。これらの図に示すように、このピアノ１０は、複数の鍵１（１つのみ図示）と、鍵１ごとに設けられ、弦Ｓを打弦する複数のハンマー２（１つのみ図示）と、鍵１の後部の上側に設けられたアクション３などを備えている。
【００１３】
このピアノ１０は、複数のハンマー２による弦Ｓの打弦により、アコースティックな演奏音を発生させるように構成されている。以下、ピアノ１０を演奏者から見た場合の手前側（同図の右側）を「前」、奥側（同図の左側）を「後」として、説明を行うものとする。
【００１４】
アクション３は、ウィッペン４と、ウィッペン４に取り付けられたレペティションレバー５およびジャック６を備えている。ウィッペン４は、その後端部において、ウィッペンレール７に固定されたウィッペンフレンジ８に回動自在に支持されており、中央において、鍵１の後部に設けられたキャプスタンスクリュー９に載置されている。
【００１５】
複数のハンマー２の各々は、前後方向に延びるハンマーシャンク１１と、ハンマーシャンク１１の後端部に取り付けられたハンマーヘッド１２と、ハンマーシャンク１１の前部の下面に取り付けられたシャンクローラ１３などで構成されている。ハンマーシャンク１１は、その前端部において左右方向に延びる水平なセンターピン１４を介して、ハンマーシャンクフレンジ１５に支持されている。それにより、各ハンマー２は、センターピン１４を中心として回動自在である。
【００１６】
ハンマーヘッド１２は、ハンマーシャンク１１の後端部から直角に上下方向に延びるハンマーウッド１２ａと、ハンマーウッド１２ａの上部に巻かれたハンマーフェルト１２ｂで構成されている。
【００１７】
シャンクローラ１３は、ハンマーシャンク１１の下面に取り付けられ、下方に突出する芯板１３ａと、芯板１３ａに巻かれた円柱状のクッション材１３ｂで構成されている。
【００１８】
図３および図４に示すように、ハンマー２は、レバー比ＲＬが所定値ＲＬ１に設定された複数の第１ハンマー２Ａ（両図の（ａ））と、レバー比ＲＬが第１所定値ＲＬ１よりも大きな第２所定値ＲＬ２に設定された複数の第２ハンマー２Ｂ（（ｂ））とによって構成されている。
【００１９】
具体的には、第１ハンマー２Ａと第２ハンマー２Ｂは、センターピン１４からハンマーヘッド１２までの長さＬＨが互いに同じである。一方、第２ハンマー２Ｂでは、シャンクローラ１３の芯板１３ａが、第１ハンマー２Ａよりも前側に取り付けられており、それにより、センターピン１４からシャンクローラ１３までの長さＬＲが、第１ハンマー２ＡではＬＲ１に、第２ハンマー２ＢではＬＲ１よりも短いＬＲ２になっている。
【００２０】
その結果、第１ハンマー２Ａのレバー比ＲＬ１は、ＬＨ／ＬＲ１に設定され、第２ハンマー２Ｂのレバー比ＲＬ２は、ＬＨ／ＬＲ２に設定され、第１ハンマー２Ａのレバー比ＲＬ１よりも大きくなっている。
【００２１】
複数の第１ハンマー２Ａは、図５に示す所定の高音域ＡＨに配置され、複数の第２ハンマー２Ｂは、所定の低音域ＡＬに配置されている。
【００２２】
ハンマーシャンクフレンジ１５は、ハンマーシャンクレール１６の上面に取り付けられている。ハンマーシャンクレール１６は、筬（図示省略）の上に設けられた複数のブラケット１７（１つのみ図示）に取り付けられ、左右方向に延びている。
【００２３】
このハンマーシャンクレール１６の下面には、レギュレーティングレール１８が一体に設けられている。このレギュレーティングレール１８には、レギュレーティングボタン１９が下方に突出するように設けられている。
【００２４】
レペティションレバー５は、前後方向に延び、その中央でウィッペン４に回動自在に取り付けられている。また、レペティションレバー５の前部には、上下方向に貫通するジャック案内孔５ａが形成されている。
【００２５】
ジャック６は、Ｌ字状に形成されており、上下方向に延びる突き上げ部６ａと、その下端部の角部から前方に延びる当接部６ｂで構成されている。ジャック６は、その角部を介して、ウィッペン４に回動自在に取り付けられている。ジャック６の突き上げ部６ａの上端部は、上述したジャック案内孔５ａに挿入され、離鍵状態においてシャンクローラ１３とわずかな間隔を隔てた状態で対向している。また、ジャック６の当接部６ｂは、レギュレーティングボタン１９と所定間隔を隔てて下方から対向している。
【００２６】
次に上述した構成のピアノ１０の動作を説明する。まず、図１に示す離鍵状態において、各ハンマー２は、シャンクローラ１３を介して、レペティションレバー５に、ジャック案内孔５ａをまたいだ状態で載置されている。
【００２７】
この離鍵状態から鍵１が押鍵されると、ウィッペン４が、キャプスタンスクリュー９を介して突き上げられることにより、上方に回動するとともに、レペティションレバー５およびジャック６がウィッペン４と一緒に上方に移動する。このジャック６の上方への移動に伴い、その突き上げ部６ａがシャンクローラ１３を介してハンマー２を突き上げることによって、ハンマー２がセンターピン１４を中心として上方に回動する。
【００２８】
ハンマー２が弦Ｓを打弦する直前まで回動したときに、ジャック６の当接部６ｂが、レギュレーティングボタン１９に当接することによって、ジャック６は、ウィッペン４に対して、図１の時計方向に回動する。これにより、ジャック６がハンマー２から離脱（レットオフ）し、その後、ハンマー２は、慣性で回動し続け、弦Ｓを打弦する。
【００２９】
以上のように、本実施形態によれば、高音域ＡＨでは、レバー比ＲＬが小さい第１ハンマー２Ａが配置されているので、鍵のコントロール性を優先して得ることができ、それにより、高い演奏性を得ることができる。また、低音域ＡＬでは、レバー比ＲＬが大きい複数の第２ハンマー２Ｂが配置されているので、高い押鍵エネルギーの伝達効率を優先して得ることができ、それにより、大きな打弦力を得ることができる。その結果、音域に応じて、高い演奏性と大きな打弦力を選択的に得ることができるので、より高度な演奏を行うことができる。
【００３０】
なお、本発明は、説明した実施形態に限定されることなく、種々の態様で実施できる。例えば、実施形態では、ピアノの音域を低音域ＡＬおよび高音域ＡＨの２つの音域に区分し、高音域ＡＨに第１ハンマー２Ａを、低音域ＡＬに第２ハンマー２Ｂをそれぞれ配置しているが、演奏者の好みなどに応じて適宜、変更することが可能である。例えば、第１ハンマー２Ａと第２ハンマー２Ｂを、実施形態とは逆に、低音域ＡＬと高音域ＡＨにそれぞれ配置してもよく、あるいは黒鍵および白鍵にそれぞれ配置してもよい。また、音域をさらに細分化するとともに、レバー比ＲＬが異なるより多くの種類のハンマーを用意し、これらをそれぞれ異なる音域に配置してもよい。その他、本発明の趣旨の範囲内において、細部の構成を変更することが可能である。
【図面の簡単な説明】
【００３１】
【図１】本発明のハンマーを備えたピアノの鍵盤装置を離鍵状態において示す側断面図である。
【図２】図１の鍵盤装置を押鍵状態において示す側断面図である。
【図３】（ａ）第１ハンマーおよび（ｂ）第２ハンマーを示す側面図である。
【図４】図３のハンマーの部分拡大側面図である。
【図５】音域の区分を示す鍵盤の平面図である。
【符号の説明】
【００３２】
１  鍵
２  ハンマー
２Ａ  第１ハンマー
２Ｂ  第２ハンマー
６  ジャック
１０  ピアノ
１１  ハンマーシャンク
１２  ハンマーヘッド
１３  シャンクローラ
１４  センターピン（支点）
Ｓ  弦
ＬＨ  センターピン（支点）からハンマーヘッドまでの長さ
ＬＲ  センターピン（支点）からシャンクローラまでの長さ
ＬＲ１  第１ハンマーのＬＲ
ＬＲ２  第２ハンマーのＬＲ
ＲＬ  レバー比
ＲＬ１  第１ハンマーのレバー比（第１所定値）
ＲＬ２  第２ハンマーのレバー比（第２所定値）
ＡＬ  低音域（音域）
ＡＨ  高音域（音域）
【図１】
2010085464.tif 000003
【図２】
2010085464.tif 000004
【図３】
2010085464.tif 000005
【図４】
2010085464.tif 000006
【図５】
2010085464.tif 000007